Podtech/llm-jp-corpus-v4-ja_patent huggingface dataset:
(57)【要約】【課題】  ヘルメットのあご紐に貫通させて取り付け、吸水性素材を使用し内径の寸法がφ１５ｍｍ〜φ３０ｍｍ、長さが１００ｍｍ〜２００ｍｍで筒状に形成された、あご紐用汗吸収パッドを提供する。【解決手段】  吸水性素材を使用し周囲を縫製や溶着などで筒状に形成されたものをヘルメットのあご紐に貫通させて取り付けることにより、あごから出た汗をパッドが吸収し不快感を抑えてくれる。また、素材をタオル生地などにすることにより何度でも洗濯することができ、清潔に使用することができる。【選択図】図１
0003146962.tif 000002
【実用新案登録請求の範囲】
【請求項１】
ヘルメットのあご紐に貫通させて取り付け、吸水性素材を使用し内径の寸法がφ１５ｍｍ〜φ３０ｍｍ、長さが１００ｍｍ〜２００ｍｍで筒状に形成されたことを特徴とするあご紐用汗吸収パッド。
【請求項２】
タオル生地を使用したことを特徴とする請求項１に記載のあご紐用汗吸収パッド。
【考案の詳細な説明】
【技術分野】
【０００１】  本考案は吸水性素材を使用し、周囲を筒状に形成されたものをヘルメットのあご紐に貫通させて取り付けるあご紐用汗吸収パッドに関するものである。
【背景技術】
【０００２】  従来からヘルメットのあご紐は一般的に頭部から外れないようにテープ状のもので形成されており、吸水性が低い素材のものが使用されていた。
【考案の開示】
【考案が解決しようとする課題】
【０００３】  ヘルメットあご紐素材の吸水性が低いため、汗を吸い取ることができず不快感を感じ、皮膚への影響も出ていた。また工場見学などで使用するヘルメットは不特定多数の人が共用で使用することが多く、他人の使用したものを使っていたため不快感を感じていた。【０００４】  本考案はヘルメットのあご紐に貫通させて簡単に取り付けることができ、吸水性素材を使用することで、あごから出た汗をパッドが吸収し不快感を抑えることができる。【０００５】  また素材をタオル生地にすることにより何度でも洗濯することができ清潔に使用することができる。
【課題を解決するための手段】
【０００６】  ヘルメットのあご紐に貫通させて簡単に取り付けることができ、吸水性素材を使用することで、あごから出た汗をパッドが吸収し不快感を抑えてくれることを特徴とする。
【考案の効果】
【０００７】  着用者のあごに接触する部分を肌触りのよい吸水素材を使用することで、不快感や皮膚への影響がなく、気持ちよくヘルメットを着用することができる。また、あご紐に貫通させ取り付けているだけなので、他の人が使用する際も汗吸収パッドを交換するだけで清潔に使用することができる。【０００８】  汗吸収パットはタオル生地などを使用することにより、汗などで汚れたとしても何度でも洗濯することができ清潔に使用することができる。
【考案を実施するための最良の形態】
【０００９】  ヘルメットのあご紐に貫通させて取り付けるため、周囲を縫製や溶着などで筒状に形成されたことにより簡単にあご紐に取り付けることができる。
【実施例】
【００１０】  図１は従来使用中のヘルメットにあご紐用汗吸収パッドを取り付けた図であり、図２はあご紐用汗吸収パッドの形状を示した図である。【００１１】  図３、４はその他のあご紐用汗吸収パッドの取り付け方法を示した形状の図である。
【産業上の利用可能性】
【００１２】  以上のように本考案によれば、ヘルメットのあご紐に簡単に取り付けることができ、あごから出た汗をパッドが吸収し不快感を抑えてくれる。
【図面の簡単な説明】
【００１３】
【図１】本考案のあご紐用汗吸収パッドの実施例を示す図である。
【図２】本考案のあご紐用汗吸収パッドの形状を示す図である。
【図３】別の取り付け方法のあご紐用汗吸収パッドを示す図である。
【図４】別の取り付け方法のあご紐用汗吸収パッドを示す図である。
【符号の説明】
【００１４】  １  ヘルメット
２  あご紐
３  あご紐用汗吸収パッド
４  縫製
５  汗吸収パッド生地
６  面ファスナー
７  ホック
【図１】
0003146962.tif 000003
【図２】
0003146962.tif 000004
【図３】
0003146962.tif 000005
【図４】
0003146962.tif 000006
(57)【要約】      （修正有）【課題】イカ釣りをする時、活アジバッカンの中にピトン棒を容易に立てる事が出来るピトン棒立てを提供する。【解決手段】活アジバッカン１とピトン棒立て４を同じ材質で作り、活アジバッカン１の底に一体化させ、簡単にピトン棒２を立てる事が出来る。活アジバッカン１の底に、同じ材質でピトン棒立て４を取り付ける。このピトン棒立て４に、ピトン棒２を立てて活アジバッカン１の中に水を入れる。この水を入れる事で、ピトン棒を立てても安定感があり、容易にピトン棒を立てる事が出来る。【選択図】図２
0003146969.tif 000002
【実用新案登録請求の範囲】
【請求項１】
活アジバッカンと、ピトン棒立てを同じ材質で作り、活アジバッカンの底で一体化した、活アジバッカンピトン立て。
【考案の詳細な説明】
【技術分野】
【０００１】本考案は、イカ釣りをする時、活アジバッカンの中にピトン棒を、立てる事が出来る様にしたものである。
【背景技術】
【０００２】従来は、ピトン棒と活アジバッカンは、別々に使うものであった。
【考案の開示】
【考案が解決しようとする課題】
【０００３】従来は、防波堤でイカ釣りする時、ピトン棒を立てるのが困難であった。
防波堤に直接ピトン棒を、打ち込む事が出来ないので、釣竿を三脚や物に立てかけたりしていた。
この考案は、簡単にピトン棒を立てる事が出来る様にしたものである。
【課題を解決するための手段】
【０００４】活アジバッカン１の底に、同じ材質でピトン棒立て４を取り付ける。
このピトン棒立て４に、ピトン棒２を立てて活アジバッカン１の中に水を入れる。
この水を入れる事で、ピトン棒を立てても安定感があり、簡単にピトン棒を立てる事が出来るのを、特徴としたピトン立て。
【考案の効果】
【０００５】活アジバッカンの底に取り付けたものなので、持ち運びが便利で簡単にピトン棒を立てる事が出来る。
【考案を実施するための最良の形態】
【０００６】本考案に係る活アジバッカンピトン立ては、図２に示す様に、活アジバッカン１とピトン棒立て４が同じ材質で作られており、これらが活アジバッカン１の底に一体化されていて、これにピトン棒２を立てる事が出来る様にする。
【図面の簡単な説明】
【０００７】
【図１】活アジバッカンにピトン棒を立てて、竿受けをセットした平面図である。
【図２】従来の活アジバッカンの底に、ピトン棒立てをセットした平面図である。
【符号の説明】
【０００８】１    活アジバッカン
２    ピトン棒
３    竿受け
４    ピトン棒立て
【図１】
0003146969.tif 000003
【図２】
0003146969.tif 000004
(57)【要約】【課題】  鋭利な刃物や刈払い機などの回転刃物から大腿部を保護するため、金属製のメッシュをパッドの中に入れた腿ガードを提供する。【解決手段】  鋭利な刃物や刈払い機などから自分の身を守るため大腿部にパッドを取り付け、パッドの中には金属製のメッシュが入っているため、自分の身が危険にさらされることが容易には起こらない。また大腿部からずれないようにズボンのベルトから吊るすことでき簡単に取り付けることができる。【選択図】図１
0003146963.tif 000002
【実用新案登録請求の範囲】
【請求項１】
鋭利な刃物や刈払い機などの回転刃物から大腿部を保護するパッドで  衣服のベルトに吊りベルトを通すことで大腿部からずれないように取り付けることができ、パッドの中には金属製のメッシュを入れたことを特徴とする腿ガード。
【請求項２】
衣服のベルトに吊りベルトを通し、横の２本の調節ベルトで簡単に脱着できることを特徴とする請求項１に記載の腿ガード。
【請求項３】
パッドの形状は大腿部に添う形状となっていることを特徴とする請求項１に記載の腿ガード。
【考案の詳細な説明】
【技術分野】
【０００１】  本考案は鋭利な刃物や刈払い機などの回転刃物から大腿部を保護するため、金属製のメッシュをパッドの中に入れた腿ガードに関するものである。
【背景技術】
【０００２】  刈払い作業や剪定作業で鋭利な刃物や刈払い機などを使用する際、注意して道具を使用するが、時には誤って自分の身に損傷を与えてしまうことがあった。
【考案の開示】
【考案が解決しようとする課題】
【０００３】  鋭利な刃物や刈払い機などは危険な道具のため、防具を身にまとう必要があった。【０００４】  しかし、身にまとう防具にも肘や膝、脛などを守る物が大半で大腿部を守る物は少ない。【０００５】  本考案は大腿部に添うようにパッドを付けて鋭利な刃物や刈払い機などから自分の身を守るための腿ガードである。またパッドの中には金属製のメッシュが入っているため、自分の身が危険にさらされることが容易には起こらない。【０００６】  衣服のベルトから吊りベルトを通すことで大腿部からずれないようになり、横の２本の調節ベルトで大腿部を固定することができ、簡単に取り付け取り外しができる。
【課題を解決するための手段】
【０００７】  鋭利な刃物や刈払い機などの回転刃物から大腿部を保護するため、金属製のメッシュをパッドの中に入れ、自分の身を守ることを特徴とする。
【考案の効果】
【０００８】  パッドの中に金属製のメッシュを入れることにより、容易に鋭利な刃物や刈払い機などの回転刃物から、自分の身が危険にさらされることがなく、大腿部を保護することができる。
【考案を実施するための最良の形態】
【０００９】  衣服のベルトから吊りベルトを通すことで大腿部からずれないようになり、横の２本の調節ベルトで大腿部を固定し簡単に取り付けることができる。
【実施例】
【００１０】  図１、２は大腿部に腿ガードを取り付けた図である。
【産業上の利用可能性】
【００１１】  以上のように本考案によれば、刈払い作業や剪定作業で鋭利な刃物や刈払い機などを使用する際には、金属製メッシュが入ったパッドを大腿部に付けることで自分の身を守ることができる。
【図面の簡単な説明】
【００１２】
【図１】本考案の腿ガードを装着した状態を示す図である。
【図２】本考案の腿ガードを装着した状態を示す図である。
【図３】本考案の腿ガードを示す平面図である。
【図４】本考案の腿ガードを示す裏面図である。
【図５】本考案の腿ガードを示す断面図である。
【符号の説明】
【００１３】  １  腿ガード
２  ベルト
３  大腿部
４  ワンタッチバックル
５  調節ベルト
６  吊りベルト
７  表生地
８  裏パッド
９  金属メッシュ
１０  カシメ
１１  バイヤステープ
【図１】
0003146963.tif 000003
【図２】
0003146963.tif 000004
【図３】
0003146963.tif 000005
【図４】
0003146963.tif 000006
【図５】
0003146963.tif 000007
(57)【要約】      （修正有）【課題】持ちにくく運び辛い棺を、持ちやすく、しかも美しく整然と運びやすくした下部に抜き差し自由な把手がある棺を提供する。【解決手段】棺の底が二重底になっており、運搬の際は丸い棒状の把手を、その二重底の横側面から向かい側の側面へ中底の下部に密着させながら、貫き通せるように穴が開けられており、突き出た把手を片手で持つことにより６人で整然と運ぶ事が出来、安置する際は目立たぬよう簡単に抜き取る事が出来る様に工夫された、把手抜き差し自由な棺である。【選択図】図１
0003146961.tif 000002
【実用新案登録請求の範囲】
【請求項１】
棺の底が二重底になっており、運搬の際は丸い棒状の把手を、その二重底の横側面から向かい側の側面へ中底の下部に密着させながら、貫き通せるように穴が開けられており、突き出た把手を片手で持つことにより６人で整然と運ぶ事が出来、安置する際は目立たぬよう簡単に抜き取る事が出来る様に工夫された、把手抜き差し自由な棺。
【考案の詳細な説明】
【技術分野】
【０００１】本考案は棺の下部に抜き差し自由な把手を付けた棺桶に関するものである。
【背景技術】
【０００２】葬儀において棺を運ぶ場合、対象が凹凸の無い重い直方体のため大変持ちにくく階段等では特に難儀をきたしていた。
【考案の開示】
【考案が解決しようとする課題】
【０００３】現状の一般の棺は凹凸がないため持ちにくく中腰で持って腰を痛めたり、階段で転んだり等実際いろいろな事故が発生している。これらの困難を解決しようとするものである。
【課題を解決するための手段】
【０００４】本考案は棺を二重底に造りその内部に三ヶ所程、抜き差し自由な把手を通し、計６か所、握り手が突き出るようにした。
【考案の効果】
【０００５】従来は棺を持ちやすく工夫したものは無く、中にはバンドで吊したり、カバンの握り手のような持ち手を付けたりしたものが存在するが、接続部分の強度を考えると何分重量のある棺の故、不安がある。本考案のように堅い把手を中底に密着させて貫通させることにより安心して棺を持ち上げる事となる。
また、安置の際、把手を抜き去っておけば目立たなくて見栄えもよい。
整然と運ぶ姿は、止まって記念撮影にも耐えうる。
【考案を実施するための最良の形態】
【０００６】従来の棺桶を二重底に作る。側面は必要最小限に薄く作る。
中底は、その下に左右中央の長手方向に背骨の様に桟木が支えるのでこれも薄くてもよい。下底は、実用段階で霊柩車の中の組み込まれたコロを考慮すると、７ミリ前後の厚さは必要であると思われる。
また二重底の縦幅は把手の太さと関与するので４センチ前後と考えられる。
【実施例】
【０００７】以下、添付図面に従って一実施例を説明する。
なお、本考案の主旨は二重底部分にあるので、上部については言及しない。
図１ａは、棺の二重底側面に三ヶ所穴を開け固く丸い把手を貫通させた取り付け状態。これを両側、計６人で持って運ぶ事になる。
図１ｂは把手を抜き去った状態。祭壇に安置する時にこのようになる。
図２ａは正面から見た断面図で１は桟木、２は空間部分。
図２ｂは側面から見た中央切片の断面図で１は桟木、２は空間部分。
【図面の簡単な説明】
【０００８】
【図１】（ａ）本考案である把手付き棺の、把手取り付け時の見取り図である。（ｂ）本把手付き棺の、安置時、把手抜き去り時の見取り図である。
【図２】（ａ）本把手付き棺の、正面から見た断面図である。（ｂ）本把手付き棺の、側面から見た中央切片の断面図である。
【図１】
0003146961.tif 000003
【図２】
0003146961.tif 000004
(57)【要約】      （修正有）【課題】介護施設や老人ホームなどのように大量に枕カバーやベッドカバーを使用する施設において、介護者の負担を軽減すべく取替えの手間が少なく、また利用者にとっても使い心地の良い、安価な使い捨てのカバーシートを提供するものである。【解決手段】合成樹脂製不織布１の片端又は両端の両縁に巾５０ｍｍ〜１５０ｍｍの固定板２を有し、枕やベッドシーツ６がベッドからずれたり落ちたりする事を防止する。該固定板は厚み０．２ｍｍ〜０．６ｍｍの合成樹脂製であり、超音波シールやインパルスシーラー等により厚みの３０％〜６０％程の凹部が施されており、それが折曲線となるので分厚いベッドマットにも容易に差込んで固定することが出来る。また材質が不織布と同じ合成樹脂製であるので、熱で溶着することも可能である。【選択図】図２
0003146964.tif 000002
【実用新案登録請求の範囲】
【請求項１】
合成樹脂製不織布にベッドに対するずれ防止の固定板を備え、該固定板の基材が、厚み０．２ｍｍ〜０．６ｍｍ、巾５０ｍｍ〜１５０ｍｍの合成樹脂製シートであり、１ヶ所〜４ヶ所の折曲線を有することを特徴とする固定式カバーシート。
【請求項２】
合成樹脂製不織布に面ファスナーを装着する請求項１記載の固定式カバーシート
【請求項３】
合成樹脂製不織布と同質の合成樹脂製シート製固定板を熱溶着にて固着することを特徴とする請求項１記載の固定式カバーシート。
【請求項４】
合成樹脂製不織布と面ファスナーを熱溶着にて固着することを特徴とする請求項１記載の固定式カバーシート。
【請求項５】
合成樹脂製不織布片端に袋体部を設け、板状シートを装着し固定することを特徴とする固定式カバーシート。
【考案の詳細な説明】
【技術分野】
【０００１】  本考案は、枕などの使い捨てカバーシートに関する。
【背景技術】
【０００２】  近年、高齢化社会が進み、益々介護を必要とする人が増加している中、介護施設や老人ホーム等のように大量に枕カバーやベッドカバーを使用する施設においては、その都度取替えやクリーニング、乾燥をする手間がかかり、介護者の負担が大きくなっている上、人件費もかかるという問題点があった。【０００３】  また従来の枕カバーやベッドカバーは、利用者が使用中にずれたり、ベッドから落ちたりする場合もあり、利用者にとっても使い心地が良いとは言えなかった。
【考案の開示】
【考案が解決しようとする課題】
【０００４】  上記問題点に対し、介護者の負担を軽減すべく、取替えの手間が少なく、また利用者にとってもずれたり落ちたりする心配のない使い心地の良い、安価な使い捨てのカバーシートを提供するものである。
【課題を解決するための手段】
【０００５】  本考案の固定式カバーシートは、合成樹脂製不織布の片端又は両端の両縁に巾５０ｍｍ〜１５０ｍｍの固定板を有し、枕やベッドシーツがベッドからずれたり落ちたりする事を防止する。該固定板は厚み０．２ｍｍ〜０．６ｍｍの合成樹脂製であり、超音波シールやインパルスシーラー等により厚みの３０％〜６０％程の凹部が施されており、それが折曲線となるので分厚いベッドマットにも容易に差込んで固定することが出来る。また材質が不織布と同じ合成樹脂製であるので、熱で溶着することも可能である。【０００６】  また、合成樹脂製不織布には、雌雄二対の面ファスナーを溶着し、枕を巻いた場合にずれを防止することも可能である。
【考案の効果】
【０００７】  本考案の固定式カバーシートを枕やベッドに装着する操作としては、該カバーシートを枕やベッドの上に乗せる、或いは巻くようにする場合には面ファスナーテープで固定した後、片端又は両端の両縁に備えられた固定板をベッドマットや布団の下に差し込み固定するだけであるので、簡単であり、大量に枕カバーやベッドカバーを装着しなければならない場合であっても手間がかからない上、固定板によって枕やシーツがベッドに固定されるので使用中にずれたり落ちたりすることが防止される。【０００８】  更に固定式カバーシートの本体は合成樹脂製不織布製であるので、安価に作製することができる。よって利用者が使い捨てとして用いてもコストがあまりかからない。【０００９】  また、ベッドカバーとして利用する場合、枕カバーは不織布に一部分溶着して一体型としておくとなお手間が省かれるので好適である。
【図面の簡単な説明】
【００１０】
【図１】  枕カバーとして利用した本考案の固定式カバーシートを枕に装着した側断面図である。
【図２】  ベッドカバーのずれ防止カバーに利用した本考案の固定式カバーシートをベッドに装着した側面図である。不織布の巾を大きくし、枕カバーと同様にベッドに装着した後両端の両縁に設けられた固定板をベッドとベッドマットの間に差込んで固定する。枕カバーは予め不織布に一部溶着されている。
【図３】  本考案の固定式カバーを枕カバーに利用した側断面図である。
【図４】  本考案の固定式カバーをベッドカバーに利用した側断面図である。
【図５】  本考案の固定式カバーシートの枕カバー用の固定板の折曲線の側断面図である。
【図６】  本考案の固定式カバーシートのベッドカバー用の固定板の折曲線の側断面図である、
【図７】  固定板の折曲線の断面の拡大図である。合成樹脂製シートの厚みの３０〜６０％程度の凹部を熱溶着で作製しているものである。
【図８】  本考案の固定式カバーシートの枕カバー用の正面図である。
【図９】  本考案の固定式カバーシートのベッドシーツ用の正面図である。
【符号の説明】
【００１１】１  不織布
２  固定板
３  固定板折曲線部
４  面ファスナー  オス
４′  面ファスナー  メス
５  枕
６  ベッドシーツ
７  マット
８  ベッド台
９  熱溶着部
１０  固定板を固着させる袋体部
【図１】
0003146964.tif 000003
【図２】
0003146964.tif 000004
【図３】
0003146964.tif 000005
【図４】
0003146964.tif 000006
【図５】
0003146964.tif 000007
【図６】
0003146964.tif 000008
【図７】
0003146964.tif 000009
【図８】
0003146964.tif 000010
【図９】
0003146964.tif 000011
(57)【要約】      （修正有）【課題】幼児を抱く際の負担を軽減し、且つ使い勝手よく、又デザイン性があり、実用性のある子守帯を提供する。【解決手段】子守帯は、ショルダーベルトＡ’の幅が広く、幼児を抱いた際、体重が分散され、使用者の負担を軽減できる。又、極力無駄な装飾・複雑なサイズ調整を省き、主に使用する女性の体型に合わせたサイズを構成し、シンプルに仕上げ、軽量化を図っている。子守帯を構成する生地は多種・多色で、使用者の好みに合わせて選ぶことができ、未使用時には付属の収納袋Ｂに収納でき、コンパクトに持ち運びの出来るデザインになっている。【選択図】図１
0003146966.tif 000002
【実用新案登録請求の範囲】
【請求項１】
本考案は、一ひねりの入った２本の帯が六角形状の台座に接続しており、該帯の前面側中間部にプラスチックバッケルを設ける背当てベルトを２本の帯に渡して、そのプラスチックバッケル部分をクッションで覆い、プラスチックバッケル部分を覆う釦で取り外し可能なクッションを設け、さらに、該背当てベルトから垂下する、小物入れにもなる収納袋が釦で着脱可能に設けられている子守帯である。
【考案の詳細な説明】
【技術分野】
【０００１】本考案は、幼児を抱き抱える時に幼児を保持する為の用具に関するものである。
【背景技術】
【０００２】従来この種の子守帯としては、万人の体型に合うようサイズ調整が出来、その為複雑な金具と調整紐があり装着が困難で、色は黒か紺のデザイン性に欠けている子守帯が知られている。また、サイズ調整不可で生地の色・種類が選択でき肩紐の幅も広く、コンパクトに折り畳みの出来る子守帯が知られている。
幼児の安定性を重視した為に、重量が嵩み持ち運びに困難で、抱き下ろしの際に不便な子守帯も知られている。
【考案の開示】
【考案が解決しようとする課題】
【０００３】本考案は、従来の技術を有するこのような問題点に鑑みてなされたものであり、その目的とするところは、幼児を抱く際の負担を軽減し、且つ使い勝手よく、又デザイン性があり、実用性のある子守帯を提供しようというものである。
【課題を解決するための手段】
【０００４】本考案における子守帯は、ショルダーベルトの幅が広く、幼児を抱いた際、体重が分散され、使用者の負担を軽減できる。又、極力無駄な装飾・複雑なサイズ調整を省き、主に使用する女性の体型に合わせたサイズを構成し、シンプルに仕上げ、軽量化を計っている。子守帯を構成する生地は多種・多色で、使用者の好みに合わせて選ぶことができ、未使用時には付属のバックに収納でき、コンパクトに持ち運びの出来るデザインになっている。
【考案の効果】
【０００５】幼児の体重を保持する為に、ショルダー部先端を台座内部まで入れ込み接続することによって、加重によって生じる台座の変形・型崩れ・生地の伸びを防止している。又、台座部を六角形にすることで、幼児の足が当たるのを防ぎ、さらに、背に当たる部分にある調整金具（プラスチックバッケル）は、クッションで覆われていて、幼児への心遣いを徹底している。【０００６】子守帯と収納袋は着脱が可能で、子守帯未使用時には、収納して簡単に持ち歩くことが出来、小さく折り畳めるため便利である。
【実施例】
【０００７】  以下、添付図面に従って一実施例を説明する。【０００８】  図１は、本考案の斜視図である。この子守帯は、子守帯部Ａと収納袋Ｂで構成されている。子守帯部Ａの左右のショルダーベルトＡ´には、使用者の体に沿うように一ひねりが加えられており、背当てベルトＣが接続されている。背当てベルトＣには調整金具（プラスチックバッケル）が付いており、幼児の体が当たり、怪我や痛みを防ぐために、クッションＤで覆い隠している。このクッションＤは、図では釦になっているが、どんな釦でも良い。又、ショルダーベルトＡ´と背当てベルトＣの接続部は、幼児の加重により縫製のほつれを防止する為、連結部に別布を縫製し補強している。収納袋Ｂは子守帯を装着の際には、小物を収納できるポケットとして、未使用時には子守帯の収納袋として使用できる。【０００９】図２は台座部である。台座部Ｅは、子守帯使用時に幼児の足が当たるのを防ぐ為六角形になっている。又、台座部ＥにはショルダーベルトＡ´の先端部４本を内部まで入れ込み、接続することで、幼児の加重によって生じる台座の変形・型崩れ・生地の伸び・縫製のほつれを防いでいる。さらに、台座部Ｅの六辺に、別布テープＦを縫製することで台座部をより丈夫に補強している。
【図面の簡単な説明】
【００１０】
【図１】斜視図である。
【図２】台座部である。
【符号の説明】
【００１１】［Ａ］子守帯部
［Ａ´］ショルダーベルト部
［Ｂ］収納袋
［Ｃ］背当てベルト部
［Ｄ］クッション部
［Ｅ］台座部
［Ｆ］別布テープ
【図１】
0003146966.tif 000003
【図２】
0003146966.tif 000004
(57)【要約】      （修正有）【課題】部品点数を省略し、小型化・簡略化した巻線類の端子構造を提供する。【解決手段】巻線類の端子構造は、一対の磁心１３と端子電極を有さない構造の絶縁材５と巻線４と、前記絶縁材に前記巻線の引き出し線６を絡げる突起部を設けて、前記巻線の引き出し線を前記突起部に絡げ、外部接続用端子電極とした。また、前記突起部に絡げた引き出し線にはんだ付けを施し、外部接続用端子電極とした。また、前記絶縁材の材質が紙からなるものとした。【選択図】図１
0003146985.tif 000002
【実用新案登録請求の範囲】
【請求項１】
一対の磁心と端子電極を有さない構造の絶縁材と巻線と、前記絶縁材に前記巻線の引き出し線を絡げる突起部を設けて、前記巻線の引き出し線を前記突起部に絡げ、外部接続用端子電極としたことを特徴とする巻線類の端子構造。
【請求項２】
前記突起部に絡げた引き出し線にはんだ付けを施し、外部接続用端子電極としたことを特徴とする請求項１の巻線類の端子構造。
【請求項３】
前記絶縁材の材質が紙からなるものであることを特徴とする請求項１または請求項２の巻線類の端子構造。
【考案の詳細な説明】
【技術分野】
【０００１】
本考案は、スイッチング電源等に用いられる小型化・簡略化するための巻線類の端子構造に関する。
【背景技術】
【０００２】
以下、図６を参照して背景技術を説明する。一般的な巻線類のトランスを例にとると、絶縁性の端子台１０へ機械的に固定された外部接続用の端子１１が設けられている。これはボビンとも呼ばれ、樹脂モールド成形により、端子１１も同時形成される。これにワイヤーコイル１２を巻き、磁心１３、絶縁シート１４を一体化させた構造をしている。さらにコイルの引き出し線を端子に絡げて、はんだ等の方法で電気的に接続することで、外部に導出している。
【０００３】
このような巻線類において、端子台と端子とを備えた構造が必要とされている。
【特許文献１】特開平８−１７２０１７号公報
【考案の開示】
【考案が解決しようとする課題】
【０００４】
しかしながら、上記特許文献１に記載の巻線類、ここでは薄型トランスでは、引き出し線を絡げるための端子が組み込まれ成形された端子台が必要とされるため、部品点数が多く、さらなる小型化・簡略化に制約を受けるという問題点がある。
【０００５】
本考案は、これらの問題を解決するため、部品点数を省略し、小型化・簡略化した巻線類の端子構造を提供することを目的とするものである。
【課題を解決するための手段】
【０００６】
本考案による巻線類の端子構造は、一対の磁心と端子電極を有さない構造の絶縁材と巻線と、前記絶縁材に前記巻線の引き出し線を絡げる突起部を設けて、前記巻線の引き出し線を前記突起部に絡げ、外部接続用端子電極としたことを特徴とする。
【０００７】
また、本考案は、前記突起部に絡げた引き出し線にはんだ付けを施し、外部接続用端子電極としたことを特徴とする。
【０００８】
また、本考案は、前記絶縁材の材質が紙からなるものであることを特徴とする。
【考案の効果】
【０００９】
前記巻線類の端子構造は、絶縁材に引き出し線を絡げた状態を端子電極とし、外部に接続することができる。絶縁材を端子台として兼ねる構造にすることにより、端子台と端子を省略することができ、部品点数を減らすことができ、小型化が可能である。さらに端子部は簡略化が可能である。
【００１０】
また、突起形状部に絡げた引き出し線にはんだ付け処理を行うことによって、より強固な外部接続用端子電極として構成することが可能である。さらに実装時の予備はんだ付けとして使用することも可能である。
【００１１】
絶縁材の材料が紙であれば、コスト面で有利である。さらにシート形状にすれば薄さの面で有利である。
【００１２】
以上のことから、本考案を用いることによって、巻線類の端子構造において、部品点数を省略し、小型化・簡略化し、外部と接続できる端子構造を提供することが可能であり、上述した問題点を解決することができる。
【考案を実施するための最良の形態】
【００１３】
以下、本考案の実施形態として一実施例を図１から図５に基づいて説明する。
【００１４】
図１は本考案に基づいた、部品点数を省略し、小型化・簡略化した巻線類の製品外観である。
【００１５】
図２は実施例のチョークコイルを例にとり、分解斜視図を示したものである。一般的構造と同様に、E形状のフェライト磁心１とI形状のフェライト磁心２の間に、E形状フェライト磁心１の磁心中足部３に巻き線４を備えている。さらに、絶縁材５を前記I形状フェライト磁心２により挟み込んでいる。前記絶縁材５には、前記巻き線４から延びる引き出し線６を絡げるための突起形状部７が設けられている。ここに前記引き出し線６を絡げることによって、外部接続用端子電極８としたものである。
【００１６】
図３は製品の側面図である。磁心間に絶縁材が挟まれて接着材（図示省略）で接合されている。絶縁材５は耐熱性のあるシート形状のものである。かつ、端子電極を有せず、代わりに引き出し線を絡げるための突起形状部７を設けている。絶縁材の材料が紙であれば、コスト面で有利である。例えば、厚さ０．３ｍｍの耐熱性のあるアラミドポリマーのものを使用することができる。チョークコイル等の用途にあっては、ギャップシート機能を兼用することが可能である。
【００１７】
図４は図３の下面図である。絶縁材の突起形状部７に引き出し線を1回以上絡げている。絡げた部分を外部接続用端子電極８として使用する。
【００１８】
図５は外部接続用端子電極８の拡大斜視図である。外部接続用端子電極は製品の実装時にはんだ付け等を行うので、引き出し線は絡げたままでも良いが、突起形状部７に絡げた引き出し線6に、はんだ９を付ける処理を行うことによって、より強固な外部接続用端子電極として構成することが可能である。さらに実装時の接合が容易になるように、予備はんだ付けとして使用することも可能である。
【００１９】
これにより、部品点数が多く、小型化・簡略化に対応できないという問題が解決できる。
【００２０】
本考案は上記実施形態に限られず様々な巻線類に適応が可能である。例えば、トランスで巻線が複数本、端子が複数以上のものでも良い。また、磁心をEI形状としたが、EE形状等であっても同様である。
【図面の簡単な説明】
【００２１】
【図１】は本考案における製品外観の斜視図である。
【図２】は本考案における製品分解の斜視図である。
【図３】は本考案における図１の側面図である。
【図４】は本考案における図３の下面図である。
【図５】は本考案における外部接続用端子電極の拡大斜視図である。
【図６】は従来技術によるトランスの側面図である。
【符号の説明】
【００２２】
１、E型フェライト磁心
２、I型フェライト磁心
３、磁心中足部
４、巻き線
５、絶縁材
６、引き出し線
７、突起形状部
８、外部接続用端子電極
９、はんだ
１０、端子台
１１、端子
１２、ワイヤーコイル
１３、磁心
１４、絶縁シート
【図１】
0003146985.tif 000003
【図２】
0003146985.tif 000004
【図３】
0003146985.tif 000005
【図４】
0003146985.tif 000006
【図５】
0003146985.tif 000007
【図６】
0003146985.tif 000008
(57)【要約】      （修正有） 【課題】水を運ぶ間に室内にこぼすおそれがなく、効果的に水を撒くことができる間欠撒水器を提供する。【解決手段】一定水位以上に達したときに水を通すサイホンを備えた中間貯水槽と、細管内の水柱の負圧により、下部貯留槽に水が貯まっている間は給水槽からの給水を停止させる給水槽上部まで繋がる細管を持つ下部貯留槽と、水が少しずつ流れる細管と、下部貯留槽から上がってくる細管と密着して接続する給水槽上部までの長さの細管を付けた開け閉め可能なフタを持ち、本体との着脱可能な給水槽を持たせたことで、楽に給水できて、長時間にわたって、効果を持続させることが出来る。【選択図】図１
0003146915.tif 000002
【実用新案登録請求の範囲】
【請求項１】
撒水器において、 
一定水位以上に達したときに水を通すサイホンを備えた中間貯水槽と、 
細管内の水柱の負圧により、下部貯留槽に水が貯まっている間は給水槽からの給水を    停止させる給水槽上部まで繋がる細管を持つ下部貯留槽と、
水が少しずつ流れる細管と、下部貯留槽から上がってくる細管と密着して接続する給    水槽上部までの長さの給水槽内部の細管を付けた開け閉め可能なフタを持ち、          本体との着脱可能な給水槽を持つことを特徴とした間欠撒水器。
【考案の詳細な説明】
【技術分野】
【０００１】
本考案は、庭、ベランダ、屋根などに水を撒く装置に関するものである。 
【背景技術】
【０００２】
従来直射日光を浴びる庭やベランダに、お風呂の残り湯などを撒くことで涼しくなることはよく知られている。しかし意外に実行されていない。間欠撒水ということでは、凍霜害防止のための、温度センサーと電磁弁を利用した農業用の発明が見られたが、家庭で簡便に利用できる物は見あたらなかった。
【特許文献１】特許公開２００８−７９５８５
【考案の開示】
【考案が解決しようとする課題】
【０００３】
風呂場から水を撒く場所まで運ぶ間に、室内に水をこぼすおそれがあった。 
【０００４】
さらに、撒いた水はすぐに蒸発してしまい効果はすぐに消えてしまうという問題があった。 
【課題を解決するための手段】
【０００５】
一定水位以上に達したときに水を通すサイホンを備えた中間貯水槽と、細管内の水柱の負圧により、下部貯留槽に水が貯まっている間は給水槽からの給水を停止させる給水槽上部まで繋がる細管を持つ下部貯留槽と、水を少しずつ流す細管と、下部貯留槽から上がってくる細管と密着して接続する給水槽上部までの長さの給水槽内部の細管を付けた開け閉め可能なフタを持ち、本体との着脱可能な給水槽を持つことを特徴とした間欠撒水器。
【考案の効果】
【０００６】
（１）給水槽となる給水用の容器は、フタを締めた状態で、室内を安心して持ち運びできる。 
（２）間欠的に流れるので、蒸発しないまま無駄に流れ去ってしまう水が減り、１回の給水で、長時間にわたって効果が持続する。 
【考案を実施するための最良の形態】
【０００７】
本考案の実施例を図面に基づいて説明する。 
【実施例１】
【０００８】
上部に逆さまに差し込む給水槽１のフタには、水を少しずつ流す細管４と、下部貯留槽３から上がってくる細管７の上端に付けたゴム管と密着して繰り返し着脱できるジョイント６を付け、給水槽１を上向きに置いた場合の底付近までの長さの給水槽内部の細管８を付けておく。 
【０００９】
給水槽１から細管４を通って、少しずつ中間貯水槽２に水が貯まっていく。 
【００１０】
中間貯水槽２に設けたサイホン５の上の面を超えると水が流れ始めて、下部貯留槽３に供給される。 
【００１１】
下部貯留槽３に水が貯まると、給水槽上部まで繋がっている細管７が水を吸い上げていく。 
【００１２】
細管７内の水柱の高さが、給水槽１内の水面の高さと細管４の出口の高さとの水位差に達すると、給水槽１内に負圧が掛かり、細管４から水が出なくなる。 
【００１３】
下部貯留槽３の水が撒水に使われ減っていき、水面が空気を通す細管９の開口部より下になると、空気を通す細管９を通って空気が細管７の水柱よりも上に流れていき、細管７内の水柱が下がり、給水槽１の負圧が解消され再び細管４からの給水が始まるようになる。
【００１４】
空気を通す細管９を設けたことにより、細管７の底部から入った空気が中の水を押し上げてしまい毛細管現象で細管８が水で詰まってしまうのを確実に防ぐことが出来る。
【００１５】
送出ホース１０に、Ｔ字管１２をつないでおくと、撒水ホースを増やしたり、つなぎ変えが容易に行える。 
【００１６】
撒水ホースの先端を閉じ、細かい穴をたくさん空けて、そこから水が少しずつ流れ出るようにすることで、蒸発しないまま流れ去ってしまう水の量を少なくできる。 
【００１７】
さらに、人工芝などを敷くことによって、蒸発する表面積が広くなって、能率良く蒸発させることが出来る。 
【００１８】
２リットルの水が完全に蒸発したとすると、奪っていってくれる気化熱は、約４８００ｋＪになる。 
【００１９】
冷房能力が２ｋＷ程度の小型のクーラーなら、２４００秒つまり４０分間フル運転したのと同じだけの熱量を運んでいってくれることになる。 
【００２０】
クーラーの場合、部屋の中から外へ熱を運んでいるだけで、それ以上に多くの熱量が環境中に排出されてしまう。   
【００２１】
クーラーの使用時間を減らし、温暖化を緩和することに貢献できる。 
【００２２】
身近にあるペットボトルを加工して、組み合わせて本体を作ることもできる。   
【００２３】
本体の下部に、水を３分の２程度入れたペットボトルを３本、３方向にくくりつけて、転倒しないように固定するとよい。 
【００２４】
使用しないときは、固定用のペットボトルは取り外せるので、収納しやすくなる。 
【００２５】
細管７が毛細管現象が起きない十分な内径が確保できる場合には、空気を通す細管９を省略出来る。 
【図面の簡単な説明】
【００２６】
【図１】実施例１を説明する断面図である。
【符号の説明】
【００２７】
１    給水槽 
２    中間貯水槽 
３    下部貯留槽 
４    水を少しずつ流す細管 
５    サイホン 
６    ジョイント 
７    細管 
８    給水槽内部の細管 
９    空気を通す細管 
１０    送出ホース 
１１    撒水ホース 
１２    Ｔ字管 
【図１】
0003146915.tif 000003
(57)【要約】      （修正有）【課題】製作日数及びコストを大幅に削減でき、外観を保持することができる固形体を提供する。【解決手段】水草体を樹脂により石、流木、炭などの固形体に活着させたことを特徴とする。これにより、自然活着の場合と比べて制作日数及びコストを大幅に削減でき、糸や輪ゴムなどの固定材料を使用しないため美観を損なうこともない。【選択図】図１
0003146941.tif 000002
【実用新案登録請求の範囲】
【請求項１】
水草体を活着させたことを特徴とする固形体
【考案の詳細な説明】
【技術分野】
【０００１】  固形体を主体とし、この固形体の外表面に水草体を活着させたもので、主として観賞用に用いられる。
【背景技術】
【０００２】  従来における水草体の活着は、固形体・たとえば石・流木・炭などに水草体を固定器具及び固定材料（糸・輪ゴム・ビニタイなど）で活着させたものである。
【考案の開示】
【考案が解決しようとする課題】
【０００３】  この種のものでは、自然活着が理想的であるが、１〜３ヵ月の時間を要するという問題を有する。さらに、その自然活着の状態にするためには、生産コストが高くつくうえに、固定器具及び固定材料（糸・輪ゴム・ビニタイなど）で美観を損なう。
【課題を解決するための手段】
【０００４】  本考案は上記課題を解決するために、活着を樹脂による接着・固定の特殊技術で行うようにしたもので、固形体に活着させ、美観も損なわない。
【考案の効果】
【０００５】  製作時においての外観がそのまま商品となる為、従来の固定器具及び固定材料（糸・輪ゴム・ビニタイなど）で美観を損なう水草付き流木・石・炭等に比べて思い通りの外観が得られる。本考案の方法によれば固形体の表面が必ずしも平坦なものでなくても凹凸を有する物や鏡面体であっても活着できる。尚、本考案は上記固形物以外の固形物にも活着でき、上記に限定されない。
以下図面に示す実施例に従って本考案を説明する。
図１−Ａは流木２上に水草体１を樹脂５により活着させた状態を示すものである。
図１−Ｂは石３の表面に樹脂５を塗布し、その上面に蘚苔類６をシート状にしてから水分をよく取り除き貼り付けた状態を示すものである。
図１−Ｃは炭４の表面に樹脂５を両サイドに盛り上げ水草体１を活着させた状態を示すものである。
【産業上の利用可能性】
【０００６】  本考案は、鑑賞用に有益である。
【図面の簡単な説明】
【０００７】
【図１】  本考案の実施例を示す図である。
【符号の説明】
【０００８】  １・・・水草体                    ６・・・蘚苔類
２・・・流木
３・・・石
４・・・炭
５・・・樹脂
【図１】
0003146941.tif 000003
(57)【要約】      （修正有）【課題】戸建住宅において猫等の邸宅への侵入を防止し糞公害等を防止する侵入防止構造を提供する。【解決手段】伸縮自在な機能のある網ネットの下端辺に屈曲自在な機能を持つ鎖が取付けられた構成にして柵、門扉、伸縮式ゴミ収納庫等の伸縮機能部材に網ネット等を固定し、鎖で地面との隙間を少なくして猫等の侵入を防止する。網ネット等の部分を伸縮機能を持つ商品の伸縮機能部材に容易に取り付けることが出来るので、既存の伸縮機能を持つ柵、門扉、伸縮式ゴミ収納庫等にも必要な時に後付けが出来、猫等の侵入による糞公害を無くすことができる。【選択図】図２
0003146950.tif 000002
【実用新案登録請求の範囲】
【請求項１】
伸縮自在な網ネット等の下端辺に屈曲自在な鎖が取り付けられた構成にして、伸縮機能を持った商品の伸縮機能部材に網ネット等部を固定し、鎖で地面との隙間を少なくして猫等の侵入防止ができる猫等の侵入防止商品。
【考案の詳細な説明】
【技術分野】
【０００１】本考案は猫等の侵入を防止する商品に関する。
【背景技術】
【０００２】戸建住宅に於いて猫の邸宅への侵入により、糞等の公害に悩んでいるが適した解決策あるいは商品も無く住民の快適な生活が阻害されている。
【考案の開示】
【考案が解決しようとする課題】
【０００３】本考案は戸建住宅に於いて猫等の侵入箇所、又は侵入後の通路に取付ることにより、糞等の害を防ぐことができる安価で、住宅の美観も損なわずに使用できる商品を提供し快適な生活の実現に寄与する。
又ゴミ収納庫等において猫等の侵入を防止する必要がある箇所にも使用する。
【課題を解決する為の手段】
【０００４】本考案は、猫等の侵入を防ぐのが困難な伸縮機能をもった商品に取り付けることにより猫等の侵入を防止出来る商品を提供する。
従来、伸縮機能を持つ商品、例えば伸縮機能の柵、あるいは伸縮機能を持つ門扉、伸縮式ゴミ収納庫等には猫等の侵入防止できる構造は困難であった。
本考案は、これらの問題を解決する為、伸縮自在な布、網ネット等（以後網ネット等と言う）の下端辺に屈曲自在な鎖が取付られた構成にして、伸縮機能を持った商品の伸縮機能部材に網ネット等部を固定し、鎖で地面との隙間を少なくして猫等の侵入ができない様にする。
同時に伸縮自在な網ネット等と鎖で構成された本考案の猫等の侵入防止商品は伸縮機能を持った商品の本来の伸縮機能を何ら妨げる事もなく使用出来るようにする。
【考案の効果】
【０００５】上述の様に、本考案の網ネット等と鎖で構成された猫等侵入防止商品は、網ネットの下端に鎖を取り付けたシンプルな構造ではあるが、網ネット等の部分を伸縮機能を持つ商品の伸縮機能部材に容易に取り付けることが出来るので、既存の伸縮機能を持つ柵、門扉、伸縮式ゴミ収納庫等にも必要な時に後付けが出来、猫等の侵入による糞公害を無くすることができる。
鎖のない時には網ネット等が容易に持ち上がり、十分に侵入を防止できなかった。
【実施例】以下、添付図面に従って三つの実施例を説明する。
【実施例１】
【０００６】図１は伸縮機能を持った柵に、本考案の猫等侵入防止商品を取付た実施例である。
１の網ネット下端には２の鎖が取り付けられ鎖は地面との隙間を少なくし猫の侵入を困難にしている。
網ネットは伸縮機能が開いた状態で伸縮機能部材３、３′に固定されている。
移動可能な簡易タイプの為、猫の通路等に設置し侵入を防止するが、人の往来には伸縮機能部材３、３′のどちらかを自力で移動し往来ができる。
【実施例２】
【０００７】図２は伸縮機能を持った門扉に、本考案の猫等侵入防止商品を取付た実施例である。
１の網ネット下端には２の鎖が取り付けられ鎖は地面との隙間を少なくし猫の侵入を困難にしている。
網ネットは伸縮機能が開いた状態でそれぞれの伸縮機能部材４、４′、（４）、（４′）に固定されている。
伸縮機能を持った既存の門扉にも後付けとして取付られ猫の侵入を防止できる。
【実施例３】
【０００８】図３は伸縮機能を持った伸縮式ゴミ収納庫に、本考案の猫等侵入防止商品を取付けた実施例の斜視図である。
１の網ネット下端には２の鎖が取り付けられ鎖は地面との隙間を少なくし猫の侵入を困難にしている。
網ネットは伸縮機能が開いた状態でそれぞれの伸縮機能部材５、５′に固定されている。【０００９】本実施例の如く、本考案の猫等侵入防止商品は伸縮機能を持った柵、門扉、伸縮式ゴミ収納庫等の伸縮機能部材に網ネット等を固定することにより伸縮の動きに連動し、伸縮機能を妨げる事も無く開閉ができ問題の解決ができた。
【図面の簡単な説明】
【００１０】
【図１】本考案の猫等侵入防止商品を伸縮機能を持った柵に取付た実施例を示す正面図である。
【図２】本考案の猫等侵入防止商品を伸縮機能を持った門扉に取付た実施例で門扉を閉じた状態の正面図である。
【図３】本考案の猫等侵入防止商品を伸縮機能を持った伸縮式ゴミ収納庫に取付た実施例の斜視図である。
【符号の説明】
【００１１】１は網ネットである。
２は鎖である。
３、３′は伸縮機能を持った柵に網ネットを取り付ける伸縮機能部材である。
４、４′は伸縮機能を持った門扉の伸縮機能部材である。
（４）、（４′）は伸縮機能を持った門扉の中間伸縮機能部材である。
４″は伸縮機能を持った門扉の施錠支柱である。
５は伸縮機能を持ったゴミ収納庫の伸縮機能部材である背面パネルの側面部材である。
５′は伸縮機能を持ったゴミ収納庫の伸縮機能部材である正面パネルの側面部材である。
ａは伸縮機能を持った柵のパンタ部材である。
ａ′は伸縮機能を持った門扉のパンタ部材である。
ａ″は伸縮機能を持ったゴミ収納庫のパンタ部材である。
【図１】
0003146950.tif 000003
【図２】
0003146950.tif 000004
【図３】
0003146950.tif 000005
(57)【要約】      （修正有）【課題】作業労力の簡略化、残留ガスが目、鼻などに入らないようにし、作業による怪我の防止を図るガス缶穴あけ器を提供する。【解決手段】ゴムバンド１でプレート２を足に固定し、缶の側面を上から踏み爪３により缶に穴を開ける。足で缶を踏むだけという動作による作業時間の短縮と自分の体重を使うことによる労力の削減、ガス缶が顔から離れた所に有る事により、ガスを吸い込む事をなくす。穴あけ器が缶から外れないようにプレートを加工する。上述のように作業時間の短縮と労力の削減があるので、大量の缶に穴を開ける場合などには特に効果的である。穴あけプレートの側面を切り欠く事により穴あけプレートが缶から外れてしまう事を防ぎ、穴あけ用の爪をプレート側面の脚より短くする事でコンクリートの上などで使用した場合の爪の損傷を防ぐ。ベルクロ付のゴムバンドにより、脱着の容易化をはかる。【選択図】図１
0003146930.tif 000002
【実用新案登録請求の範囲】
【請求項１】
金属製の穴あけプレートをベルクロ付ゴムバンドにて、足（靴の上から）に固定し、プレート側面に設けられた缶固定用の切欠きにより缶を固定し、プレートの爪によりガス缶に穴を開ける、ガス缶穴あけ器。
【考案の詳細な説明】
【技術分野】  （注）見出しの横には何も記載しないで下さい。【０００１】（注）段落番号の横には何も記載しないで下さい。
本考案は、金属製プレートを加工し、ベルクロ付ゴムバンドにて足に装着するタイプのガス缶穴あけ器である。
【背景技術】
【考案の開示】
【０００２】キャンプ場、公園のゴミ集積所などで、ガス缶に穴を開ける作業を釘とハンマーで行っていた。
【考案が解決しようとする課題】
作業労力の簡略化、残留ガスが目、鼻などに入らないようにすること、作業による怪我の防止。
【課題を解決するための手段】
足で缶を踏むだけという動作による作業時間の短縮と自分の体重を使うことによる労力の削減、ガス缶が顔から離れた所に有る事により、ガスを吸い込む事をなくす。穴あけ器が缶から外れないようにプレートを加工する。
【考案の効果】
上述のように圧倒的な作業時間の短縮と労力の削減があるので、大量の缶に穴を開ける場合などには特に効果的である。
【考案を実施するための最良の形態】穴あけプレートの側面を切り欠く事により穴あけプレートが缶から外れてしまう事を防ぎ、穴あけ用の爪をプレート側面の脚より短くする事でコンクリートの上などで使用した場合の爪の損傷を防ぐ。ベルクロ付のゴムバンドにより、脱着の簡易化をはかる。
【実施例】以下添付図により一実施例を説明する。１のゴムバンドで２のプレートを足に固定し、缶を上から踏み３の爪により缶に穴を開ける。
【産業上の利用可能性】キャンプ場、空き缶回収業者、一般家庭などでの利用が考えられる。
【図面の簡単な説明】
【図１】平面図、側面図１、側面図２、断面図
【符号の説明】
１＝足に固定するためのゴムバンド
２＝穴あけプレート本体（１．８〜２．０ｍｍ厚の鉄板製）
３＝穴あけ用の爪
４＝缶のズレ防止用の切り欠き
５＝爪保護用の脚
６＝ゴムバンド取り付け用フック
７＝ゴムバンド取替え用スリット
【図１】
0003146930.tif 000003
【手続補正書】
【提出日】平成20年9月3日(2008.9.3)
【手続補正１】
【補正対象書類名】実用新案登録請求の範囲
【補正対象項目名】全文
【補正方法】変更
【補正の内容】
【実用新案登録請求の範囲】
【請求項１】
正方形の鋼板をプレス加工により四辺を下方向に折り曲げた脚部分符号２、中央部に鋭角の切り込みを入れた箇所を下方向に折り曲げた爪部分符号３、ガス缶固定用の欠き込み符号４、足に固定するためのベルクロ（登録商標）付きゴムバンドを有するガス缶穴あけ器
【手続補正２】
【補正対象書類名】明細書
【補正対象項目名】全文
【補正方法】変更
【補正の内容】
【考案の詳細な説明】
【技術分野】
【０００１】  本考案は、金属製プレートを加工し、ベルクロ（登録商標）付ゴムバンドにて足に装着するタイプのガス缶穴あけ器である。
【背景技術】
【考案の開示】
【０００２】キャンプ場、公園のゴミ集積所などで、ガス缶に穴を開ける作業を釘とハンマーで行っていた。
【考案が解決しようとする課題】
【０００３】作業労力の簡略化、残留ガスが目、鼻などに入らないようにすること、作業による怪我の防止。
【課題を解決するための手段】
【０００４】足で缶を踏むだけという動作による作業時間の短縮と自分の体重を使うことによる労力の削減、ガス缶が顔から離れた所に有る事により、ガスを吸い込む事をなくす。穴あけ器が缶から外れないようにプレートを加工する。
【考案の効果】
【０００５】上述のように圧倒的な作業時間の短縮と労力の削減があるので、大量の缶に穴を開ける場合などには特に効果的である。
【考案を実施するための最良の形態】
【０００６】穴あけプレートの側面を切り欠く事により穴あけプレートが缶から外れてしまう事を防ぎ、穴あけ用の爪をプレート側面の脚より短くする事でコンクリートの上などで使用した場合の爪の損傷を防ぐ。ベルクロ（登録商標）付のゴムバンドにより、脱着の簡易化をはかる。
【実施例】
【０００７】以下添付図により一実施例を説明する。１のゴムバンドで２のプレートを足に固定し、缶を上から踏み３の爪により缶に穴を開ける。
【産業上の利用可能性】
【０００８】キャンプ場、空き缶回収業者、一般家庭などでの利用が考えられる。
【図面の簡単な説明】
【０００９】
【図１】平面図、側面図１、側面図２、断面図
【符号の説明】
【００１０】１＝足に固定するためのゴムバンド
２＝穴あけプレート本体（１．８〜２．０ｍｍ厚の鉄板製）
３＝穴あけ用の爪
４＝缶のズレ防止用の切り欠き
５＝爪保護用の脚
６＝ゴムバンド取り付け用フック
７＝ゴムバンド取替え用スリット
【手続補正書】
【提出日】平成20年9月4日(2008.9.4)
【手続補正１】
【補正対象書類名】実用新案登録請求の範囲
【補正対象項目名】全文
【補正方法】変更
【補正の内容】
【実用新案登録請求の範囲】
【請求項１】
正方形の鋼板をプレス加工により四辺を下方向に折り曲げた脚部分２、中央部に鋭角の切り込みを入れた箇所を下方向に折り曲げた爪部分３、ガス缶固定用の欠き込み４、足に固定するためのベルクロ（登録商標）付きゴムバンドを有するガス缶穴あけ器